(57)【要約】【課題】  簡単な操作で、何等原稿画像を再度読み取る操作を実行することなく、２値化データをサーバ装置に登録できるとともに、画像の視認性が良好でない場合は、オリジナルの多値画像データをサーバ装置に登録することである。【解決手段】  ＭＦＰ４００で原稿から読み取られる原稿画像の多値画像データを複数のしきい値で２値化した画像データを二値画像データ１０２として記憶保持し、コンピュータ装置１３０から画像管理サーバ装置１４０に対する２値化データの表示要求等に基づいて、ＭＦＰ４００から送信されるしきい値の異なる２値化データを再送要求毎に順次取得して、コンピュータ装置の表示手段に表示する構成を特徴とする。【選択図】  図４
2006186878.tif 000002
【特許請求の範囲】
【請求項１】
コンピュータ装置と画像処理装置とサーバ装置とが通信して、画像処理装置で読み取られる所定の原稿の２値化データをサーバ装置に備えるデータベースに登録して管理するデータ処理システムであって、
画像処理装置は、
所定の原稿から読み取られる多値画像データ、該多値画像データを設定される複数のしきい値に基づいて２値化処理される複数の２値化データ、前記多値画像データおよび複数の２値化データの管理データを記憶する第１の記憶手段と、
前記第１の記憶手段に記憶されている２値化データを前記サーバ装置に転送する転送手段とを備え、
前記サーバ装置は、
前記画像処理装置から取得される２値化データおよび該２値化データの管理データを記憶する第２の記憶手段と、
前記コンピュータ装置からの画像登録指示に基づいて、前記画像処理装置から取得している２値化データの登録を確定する確定手段とを備え、
コンピュータ装置は、
前記第２の記憶手段に記憶される２値化データを取得して表示する表示手段と、
前記表示手段に表示される２値化データの変更を要求する第１の指示手段と、
前記第１の指示手段に基づいて前記サーバ装置が前記画像処理装置の前記第１の記憶手段に記憶されるしきい値の異なる２値化データを取得して、前記表示手段に表示すべき２値化データを更新する表示制御手段と、
前記表示手段に表示される２値化データの前記第２の記憶手段への登録指示を行う第２の指示手段とを備えることを特徴するデータ処理システム。
【請求項２】
前記画像処理手段は、
前記サーバ装置から２値化データの再送要求回数が所定回数を超える場合、前記多値画像データを解析して新たな複数のしきい値を設定する設定手段と、
前記設定手段により設定される複数のしきい値で２値化される再送２値化データを前記第１の記憶手段に更新登録する登録手段とを有することを特徴とする請求項１記載のデータ処理システム。
【請求項３】
前記転送手段は、前記再送２値化データの転送が終了した後、前記サーバ装置から要求される２値化データの再送要求を受信した場合、前記多値画像データを前記サーバ装置に転送することを特徴とする請求項１記載のデータ処理システム。
【請求項４】
前記第１の指示手段は、前記表示手段に表示される２値化データの変更を画像ファイル名及びしきい値変更情報とともに要求することを特徴とする請求項１記載のデータ処理システム。
【請求項５】
コンピュータ装置と画像処理装置とサーバ装置とが通信して、画像処理装置で読み取られる所定の原稿の２値化データをサーバ装置に備えるデータベースに登録して管理するデータ処理システムにおける画像データ処理方法であって、
画像処理装置において、所定の原稿から読み取られる多値画像データ、該多値画像データを設定される複数のしきい値に基づいて２値化処理される複数の２値化データ、前記多値画像データおよび複数の２値化データの管理データを記憶する第１の記憶手段と、
前記第１の記憶手段に記憶されている２値化データを前記サーバ装置に転送する転送ステップとを備え、
前記サーバ装置において、前記画像処理装置から取得される２値化データおよび該２値化データの管理データを記憶する第２の記憶手段と、
前記コンピュータ装置からの画像登録指示に基づいて、前記画像処理装置から取得している２値化データの登録を確定する確定ステップとを備え、
コンピュータ装置は、
前記第２の記憶手段に記憶される２値化データを取得して表示手段に表示する表示ステップと、
前記表示手段に表示される２値化データの変更を要求する第１の指示ステップと、
前記第１の指示ステップに基づいて前記サーバ装置が前記画像処理装置の前記第１の記憶手段に記憶されるしきい値の異なる２値化データを取得して、前記表示手段に表示すべき２値化データを更新する表示制御ステップと、
前記表示手段に表示される２値化データの前記第２の記憶手段への登録指示を行う第２の指示ステップとを備えることを特徴する画像データ処理方法。
【請求項６】
前記画像処理手段は、
前記サーバ装置から２値化データの再送要求回数が所定回数を超える場合、前記多値画像データを解析して新たな複数のしきい値を設定する設定ステップと、
前記設定ステップにより設定される複数のしきい値で２値化される再送２値化データを前記第１の記憶手段に更新登録する登録ステップとを有することを特徴とする請求項５記載の画像データ処理方法。
【請求項７】
前記転送ステップは、前記再送２値化データの転送が終了した後、前記サーバ装置から要求される２値化データの再送要求を受信した場合、前記多値画像データを前記サーバ装置に転送することを特徴とする請求項５記載の画像データ処理方法。
【請求項８】
前記第１の指示ステップは、前記表示手段に表示される２値化データの変更を画像ファイル名及びしきい値変更情報とともに要求することを特徴とする請求項５記載の画像データ処理方法。
【請求項９】
請求項５〜９のいずれかに記載の画像データ処理方法を実行させるためのプログラムを格納したことを特徴とするコンピュータが読み取り可能な記憶媒体。
【請求項１０】
請求項５〜９のいずれかに記載の画像データ処理方法をコンピュータに実行させるためのプログラム。
【発明の詳細な説明】
【技術分野】
【０００１】
本発明は、コンピュータ装置と画像処理装置とサーバ装置とが通信して、画像処理装置で読み取られる所定の原稿の２値化データをサーバ装置に備えるデータベースに登録して管理するデータ処理システムおよび画像データ処理方法およびコンピュータが読み取り可能なプログラムを格納した記憶媒体およびプログラムに関するものである。
【背景技術】
【０００２】
従来、コンピュータ装置と画像処理装置とサーバ装置とが通信して、画像処理装置で読み取られる所定の原稿の２値化データをサーバ装置に備えるデータベースに登録して管理するデータ処理システムにおいて、例えば帳票や画像の多値二値変換のための閾値設定方法として、下記特許文献１、２がすでに公開されている。
【０００３】
例えば特許文献１では、画像処理部のヒストグラム生成手段は、画像入力部から入力された画像の濃度分布を求めて、濃度ヒストグラムを生成する。第１の算出手段は、その濃度ヒストグラムの相対複雑度を第１の数値として算出する。第２の算出手段は、その濃度ヒストグラムをある濃度値で分割して、二つの相対複雑度の和を第２の数値として、分割する濃度値をとり得る範囲内で変化させ、第２の数値群を算出する。
【０００４】
そして、しきい値算出手段は、第１の数値に対する第２の数値の差の絶対値が一定値より小さいときに、分割したその濃度値をしきい値として算出する。画像生成手段は、そのしきい値を用いてしきい値処理をした画像を生成することにより、入力される画像の濃度ヒストグラムの形状に対応して適切なしきい値処理を行うことができる画像処理装置が開示されている（第一の従来技術）。
【０００５】
又、特許文献２では、入力画像に対して所定のしきい値に基づいて二値化処理を行う。この二値化処理方法は、入力画像に関するデータをイメージとして表示する工程と、入力画像に基づいて濃度ヒストグラムを作成する工程と、入力画像の濃度ヒストグラムに含まれるピーク中のピーク番号とピーク番号のピーク位置からのオフセット量で表される特徴量に基づいて濃度しきい値を演算する工程と、表示されたイメージに対してユーザが任意の位置を指定する工程と、ユーザがイメージ上で指定した位置の濃度値から得られる特徴量に基づいて、濃度しきい値を設定する工程とを備えることにより、二値化処理のしきい値を所望の領域に基づいて自動的に設定し、さらに複数のしきい値設定を可能にする閾値設定方法が開示されている（第二の従来技術）。
【０００６】
さらに証券会社や銀行等の有価証券取引業務で株券等の有価証券の膨大な数の画像データを送付する場合、通信回線の負担を軽減するために白黒の多値（例えば１２８階調）で読込んだデータを２値化して送信している。二値化のための閾値には、経験に基づいて適当な値が予め設定されている（第三の従来技術）。
【特許文献１】特許２６７１８１８号公報
【特許文献２】特開２００３−１０８９９７号公報
【発明の開示】
【発明が解決しようとする課題】
【０００７】
しかしながら、原稿として読み取られるものが、例えば証券証書のようにそれぞれ画像の配置や画像の色味が異なる場合には、あらかじめ設定されたしきい値で読み取って表示しても、登録者が満足のいく２値化データとならない場合あり、しきい値を変更して、再度２値化処理する場合には、同様の証券証書の読み取りを繰り返す等の指示を操作者が画像入力者に電話で指示したりする負担が発生し、常時画像処理装置側に操作者が待機しないと、タイムリに２値化データ処理を実行できないというネットワーク特有の問題が発生する。
【０００８】
さらに、登録可能なしきい値を増やしてしまうと、画像処理装置側に備えるハードディスク等のメモリ占有率が上がってしまい、他の画像処理が効率よく実行できない等の問題も発生する。
【０００９】
さらに、画像処理装置側に２値化処理のしきい値の設定を操作者に委ねてしまうと、画像処理に熟知している操作者以外は、同一の処理を何度も繰り返さなければならず、最終的な２値化データ登録処理を完了するまでに相当の時間を要してしまう等の課題があった。
【００１０】
本発明は、上記の課題を解決するためになされたもので、本発明の目的は、画像処理装置で原稿から読み取られる原稿画像の多値画像データを複数のしきい値で２値化した画像データを記憶保持し、コンピュータ装置からサーバ装置に対する２値化データの表示要求等に基づいて、画像処理装置から送信されるしきい値の異なる２値化データを再送要求毎に順次取得して、コンピュータ装置の表示手段に表示し、それでも、画像に視認性が良好でないと判定した場合に、コンピュータ装置から再送要求に応じて、画像処理装置であらかじめ記憶されている多値画像データのヒストグラムを算出して、新たな２値化のためのしきい値を決定し、該決定された各２値化データを取得して表示し、該表示でも、視認性が良好でない場合には、読み取られている多値画像データをそのまま取得して表示することにより、画像処理装置で原稿から読み取られた後、２値化された２値化データの視認性が良好でない場合には、簡単な操作で、何等原稿画像を再度読み取る操作を実行することなく、画像処理装置からしきい値の異なる２値化データを取得して短時間に画像の差異を判別して最小の２値化データをサーバ装置に登録できるとともに、画像の視認性が良好でない場合は、オリジナルの多値画像データをサーバ装置に登録することができ、システム全体として、従来に比べて、二値画像データの登録処理効率を格段に向上できる利便性に優れたデータ処理システムおよび画像データ処理方法およびコンピュータが読み取り可能なプログラムを格納した記憶媒体およびプログラムを提供することである。
【課題を解決するための手段】
【００１１】
上記目的を達成する本発明のデータ処理システムは以下に示す構成を備える。
【００１２】
コンピュータ装置と画像処理装置とサーバ装置とが通信して、画像処理装置で読み取られる所定の原稿の２値化データをサーバ装置に備えるデータベースに登録して管理するデータ処理システムであって、画像処理装置は、所定の原稿から読み取られる多値画像データ、該多値画像データを設定される複数のしきい値に基づいて２値化処理される複数の２値化データ、前記多値画像データおよび複数の２値化データの管理データを記憶する第１の記憶手段と、前記第１の記憶手段に記憶されている２値化データを前記サーバ装置に転送する転送手段とを備え、前記サーバ装置は、前記画像処理装置から取得される２値化データおよび該２値化データの管理データを記憶する第２の記憶手段と、前記コンピュータ装置からの画像登録指示に基づいて、前記画像処理装置から取得している２値化データの登録を確定する確定手段とを備え、コンピュータ装置は、前記第２の記憶手段に記憶される２値化データを取得して表示する表示手段と、前記表示手段に表示される２値化データの変更を要求する第１の指示手段と、前記第１の指示手段に基づいて前記サーバ装置が前記画像処理装置の前記第１の記憶手段に記憶されるしきい値の異なる２値化データを取得して、前記表示手段に表示すべき２値化データを更新する表示制御手段と、前記表示手段に表示される２値化データの前記第２の記憶手段への登録指示を行う第２の指示手段とを備えることを特徴する。
【００１３】
上記目的を達成する本発明の画像データ処理方法は以下に示す構成を備える。
【００１４】
コンピュータ装置と画像処理装置とサーバ装置とが通信して、画像処理装置で読み取られる所定の原稿の２値化データをサーバ装置に備えるデータベースに登録して管理するデータ処理システムにおけるデータ処理方法において、画像処理装置において、所定の原稿から読み取られる多値画像データ、該多値画像データを設定される複数のしきい値に基づいて２値化処理される複数の２値化データ、前記多値画像データおよび複数の２値化データの管理データを記憶する第１の記憶手段と、前記第１の記憶手段に記憶されている２値化データを前記サーバ装置に転送する転送ステップとを備え、前記サーバ装置において、前記画像処理装置から取得される２値化データおよび該２値化データの管理データを記憶する第２の記憶手段と、前記コンピュータ装置からの画像登録指示に基づいて、前記画像処理装置から取得している２値化データの登録を確定する確定ステップとを備え、コンピュータ装置は、前記第２の記憶手段に記憶される２値化データを取得して表示手段に表示する表示ステップと、前記表示手段に表示される２値化データの変更を要求する第１の指示ステップと、前記第１の指示ステップに基づいて前記サーバ装置が前記画像処理装置の前記第１の記憶手段に記憶されるしきい値の異なる２値化データを取得して、前記表示手段に表示すべき２値化データを更新する表示制御ステップと、前記表示手段に表示される２値化データの前記第２の記憶手段への登録指示を行う第２の指示ステップとを備えることを特徴する。
【発明の効果】
【００１５】
本発明によれば、画像処理装置で原稿から読み取られた後、２値化された２値化データの視認性が良好でない場合には、簡単な操作で、何等原稿画像を再度読み取る操作を実行することなく、画像処理装置からしきい値の異なる２値化データを取得して短時間に画像の差異を判別して最小の２値化データをサーバ装置に登録できるとともに、画像の視認性が良好でない場合は、オリジナルの多値画像データをサーバ装置に登録することができ、システム全体として、従来に比べて、二値画像データの登録処理効率を格段に向上できる。
【発明を実施するための最良の形態】
【００１６】
次に本発明を実施するための最良の形態について図面を参照して説明する。
【００１７】
＜システム構成の説明＞
〔第１実施形態〕
図１は、本発明に係るデータ処理システムにおける画像処理装置の構成を説明する断面図であり、リーダ部２００及びプリンタ部３００の詳細を示す。
【００１８】
図１において、リーダ部２００では、原稿給送ユニット２５０に積層された原稿用紙がその積層順に従って、先頭から順次１枚ずつプラテンガラス２１１上へ給送され、スキャナユニット２１０で所定の読み取り動作が終了した後、読み取られた原稿用紙は、プラテンガラス２１１上の排出トレイ２１９に排出される。
【００１９】
また、原稿用紙がプラテンガラス２１１上に搬送されると、ランプ２１２を点灯し、次いで光学ユニット２１３の移動を開始させ、原稿用紙を下方から照射し走査する。そして、原稿用紙からの反射光は、複数のミラー２１４、２１５、２１６、及び、レンズ２１７を介してＣＣＤイメージセンサ（以下「ＣＣＤ」と記す）２１８へ導かれ、走査された原稿画像はＣＣＤ２１８によって読み取られる。さらに、ＣＣＤ２１８で読み取られた画像データは、所定の処理が施された後、コントローラユニット２０００に転送される。
【００２０】
原稿給送部２５０が原稿流し読み機能を有している場合、原稿給送部２５０に積層された原稿用紙は、原稿流し読み位置２４０を一定の速度で通過する。この場合、光学ユニット２１３は原稿流し読み位置２４０に移動し、等速で搬送される原稿をランプ２１２によって照射し、ＣＣＤ２１８によって随時読み取ることで画像データを生成し、コントローラユニット２０００に転送される。
【００２１】
次いで、プリンタ部３００では、コントローラユニット２０００から出力された画像データに対応するレーザ光が、レーザドライバ３２１により駆動されるレーザ発行部３２２から発行され、感光ドラム３２３にはレーザ光に応じた静電潜像が形成され、現像器３２４により前記静電潜像の部分に現像剤が付着される。
【００２２】
一方、レーザ光の照射開始と同期したタイミングで、カセット３１１、カセット３１２、カセット３１３、カセット３１４、手差し給紙段３１５のいずれかから記録用紙が給紙されて転写部３２５に搬送路３３１により搬送され、感光ドラム３２３に付着している現像剤を記録用紙に転写する。画像データが転写された記録用紙は搬送ベルト３２６によって、定着部３２７に搬送され、定着部３２７における加熱・加圧処理により画像データが記録紙に定着される。定着部３２７を通過した記録紙は搬送路３３５、搬送路３３４を通り、排紙装置５００に送られる。印字面を反転して排紙装置５００に送る場合には、搬送路３３６、搬送路３３８まで導かれ、そこから記録紙を逆方向に搬送し、搬送路３３７、搬送路３３４を通り、排紙装置３７０に送られる。
【００２３】
また、画像データを記録用紙に両面記録する場合は、定着部３２７を通過したあと、記録紙は、搬送路３３６からフラッパ３２９によって搬送路３３３に導かれ、その後、記録紙を逆方向に搬送し、フラッパ３２９によって搬送路３３８、再給紙搬送路３３２へ導かれる。再給紙搬送路３３２へ導かれた記録紙は上述と同様にして搬送路３３１を通り、転写部３２５へ給紙される。
【００２４】
排紙装置５００に送り込まれた用紙は、搬送路４０１または搬送路４０３を通って、中間トレイ４０２または中間トレイ４０４に蓄えられる。中間トレイ４０２と４０４は、ジョブ、束、特定枚数のページ等の単位で用紙を蓄え、交互に用紙が蓄積されていく。片方の中間トレイに用紙が搬入され、ジョブ、束、特定枚数のページの用紙蓄積が完了したら、排紙トレイ４２１〜４３２、またはエスケープトレイ４０８に用紙搬送される。上記片方の中間トレイから排紙トレイ、またはエスケープトレイへの用紙搬送が行われている最中に、さらに次の印刷により本体から用紙が送られてくる場合は、使用していないもう一方の中間トレイへ用紙が搬入され、中間トレイへの用紙の搬入と中間トレイからの用紙の搬出が同時に行われる。
【００２５】
このように、中間トレイ４０２と４０４はジョブ、束、特定枚数毎に交互に使用され、本実施例においては、印刷物を確認すべき要因がない場合は排紙トレイ４２１〜４３２のいずれかへ、印刷物を確認すべき要因がある場合はエスケープトレイ４０８へ排紙が行われる。
【００２６】
搬送路４０５、４０６、４０７へは不図示であるがフラッパ制御にて用紙搬送制御するものとし、例えば中間トレイ４０２からエスケープトレイ４０８への搬送時は搬送路４０５を、中間トレイ４０２から排紙トレイ４２１〜４３２へのいずれかへの搬送時は搬送路４０６、４０７を通って用紙が送られる。
【００２７】
また、各ユニットは省エネ対策が施されており、それぞれ個別に電源供給を遮断することができ、独立に動作することが可能となっている。
【００２８】
図２は、図１に示した画像処理装置と通信可能なホストコンピュータ１００の構成を説明するブロック図である。
【００２９】
図において、５０１はＣＰＵで、ＲＯＭ５０２に保持された制御プログラムコードに基づいて、ＣＰＵバス５０９に接続されたデバイスを総括的に制御する。５０３はＲＡＭで、ＣＰＵ５０１が使用する一時記憶用メモリとして機能し、図示しない増設ポートに接続されるオプションＲＡＭによりメモリ容量を拡張できるように構成されている。
【００３０】
また、ＲＡＭ５０３は、印刷用データとして作成された描画オブジェクト格納や、ＲＯＭ５０２に保持された制御プログラムによって一時的に使用されるワークメモリ等に用いられる。
【００３１】
５０４はメディアドライブであり、フレキシブルディスク、ＣＤ、ＤＶＤといった各種メディアとのアクセスインタフェースとなる。５０５はハードディスク（ＨＤＤ）であり、各種プログラム、データ等の格納が行われる。５０６はキーボード・マウスでユーザからの入力を受け付けるインタフェース部であり、５０７はディスプレイであり、ユーザに情報を伝えるアウトプット部となる。５０８は、ネットワークを介してプリンタ等の周辺機器と双方向に通信接続するための周辺機器インタフェース部である。
【００３２】
５０９はＣＰＵバスで、アドレス、データ、コントロールバスを含み、ＲＯＭ５０２、ＲＡＭ５０３、メディアドライブ５０４、ＨＤ５０５、キーボード・マウス５０６、ディプレイ５０７および周辺機器インタフェース部５０８は、それぞれＣＰＵバス５０９に接続されたすべてのデバイスにアクセス可能である。
【００３３】
図３は、図１に示した複合機能デバイスのハードウエアの全体構成を説明するブロック図である。
【００３４】
図３において、コントローラユニット２０００は、画像入力デバイスであるスキャナ２０７０や、画像出力デバイスであるプリンタ２０９５と接続し、一方ではＬＡＮ２０１１や公衆回線（ＰＳＴＮまたはＩＳＤＮ）２０５１と接続することで、画像情報やデバイス情報の入出力を行う。
【００３５】
ＣＰＵ２００１は、システム全体を制御するコントローラである。ＲＡＭ２００２はＣＰＵ２００２が動作するためのワークメモリであり、画像データを一時記憶するための画像メモリでもある。ＲＯＭ２００３はブートＲＯＭであり、システムブートプログラムが格納されている。２００４はハードディスクドライブ（ＨＤＤ）であり、システムソフトウェアや画像データ、さらには本発明の動作の主体となる再送制御プログラムを格納する。
【００３６】
操作部Ｉ／Ｆ２００６は、操作部２０１２とのインタフェース部で、操作部２０１２に表示する画像データを操作部２０１２に対して出力する。また、操作部２０１２から本システム使用者が入力した情報を、ＣＰＵ２００１に伝える役割をする。ネットワーク２０１０はＬＡＮ２０１１に接続し、情報の入出力を行う。以上のデバイスがシステムバス２００７上に配置される。
【００３７】
イメージバスＩ／Ｆ２００５は、システムバス２００７と画像データを高速で転送する画像バス２００８を接続し、データ構造を変換するバスブリッジである。画像バス２００８は、ＰＣＩバスまたはＩＥＥＥ１３９４で構成される。なお、画像バス２００８上には以下のデバイスが配置される。
【００３８】
ＲＩＰ（ラスタイメージプロセッサ）２０６０は、ＰＤＬコードをビットマップイメージに展開する。デバイスＩ／Ｆ部２０２０は、画像入出力デバイスであるスキャナ２０７０やプリンタ２０９５とコントローラ２０００を接続し、画像データの同期系／非同期系の変換を行う。
【００３９】
スキャナ画像処理部２０８０は、入力画像データに対して、補正、加工、編集の各種の画像処理を行う。プリンタ画像処理部２０９０は、プリント出力画像データに対して、プリンタの補正、解像度変換などのデータ処理を行う。
【００４０】
画像回転部２０３０は、画像データの回転を行う。画像圧縮部２０４０は、多値画像データに対してはＪＰＥＧ、２値画像データに対してはＪＢＩＧ、ＭＭＲ、ＭＨといった圧縮伸長処理を行う。
【００４１】
図４は、本発明の第１実施形態を示すデータ処理システムの一例を示すブロック図であり、図１と同一のものには同一の符号を付してある。
【００４２】
図１において、４００はＭＦＰで、図１に示したリーダ部２００とプリンタ部３００とから構成され、図３に示すようなコントローラユニット２０００と、ネットワーク２０１０を備え、通信回線１５０を介して画像管理サーバ１４０、コンピュータ装置１２０，１３０と所定のプロトコルで通信可能に構成されている。なお、画像管理サーバ１４０とコンピュータ１２０，１３０は、ともに図２に示したハードウエア資源を備えている。
【００４３】
また、ＭＦＰ４００は、図３に示したハードディスク２００４上に、管理データ１０１、オリジナル証券をスキャナ部２００でスキャンされたオリジナルの多値画像データ１０３、該多値画像データ１０３に対して、図３に示したスキャナ画像処理部２０８０で、異なる条件で２値化される二値画像データ１０２、メッセージデータ１０５、アプリケーション１０４が格納されている。また、アプリケーション１０４には、画像管理サーバ１４０またはコンピュータ装置１２０、１３０と通信するための通信制御プログラム等も記憶されている。
【００４４】
さらに、画像管理サーバ１４０は、管理データベース１４０Ａと画像データベース１４０Ｂとをハードディスク等に記憶して、コンピュータ装置１２０またはコンピュータ装置１３０からの画像検索要求、画像登録要求に応答するための制御プログラムを記憶している。
【００４５】
図５は、図３に示したコントローラユニット２０００のスキャナ画像処理部２０８０における２値化処理例を説明する特性図であり、図６において説明する証券を所定方向からスキャンして得られる画像を所定の閾値で処理した際に得られるヒストグラムである。
【００４６】
図６、図７は、図４に示したコンピュータ装置１２０，１３０に表示される証券画像エントリ画面の一例を示す図であり、コンピュータ装置１２０、１３０が備えるＣＰＵ５０１が制御プログラムを実行することで、図２に示すような、ディスプレイ５０７上に処理画面として表示される。なお、本画面Ｗ１は、画像管理サーバ１４０に対して登録画像の表示要求に基づいて動作するアプリケーションにより表示される。
【００４７】
図６において、Ｂ１〜Ｂ５はボタンで、確認ウインドウＣＯＮＦに表示される証券イメージデータの表示状態から、操作者が視覚により判別可能かどうかを確認して、再度画像処理された画像データの再送を要求する場合には、ボタンＢ１をキーボード・マウス５０６を操作すること指示する。
【００４８】
また、確認ウインドウＣＯＮＦに表示される証券イメージデータの表示状態の視認性に問題がない場合（例えば細かい文字が判別できるほど鮮明な画像データであると認知できた場合）にボタンＢ２が指示されて、画像管理サーバ１１４０の画像データベース１４０Ｂに確定登録される。なお、ＭＦＰ４００からスキャンされた証券イメージデータは、最初に、画像データベース１４０Ｂに仮登録されるものとする。
【００４９】
さらに、証券イメージデータが複数存在する場合には、次の証券イメージを確認するために、ボタンＢ３が指示される。また、確認ウインドウＣＯＮＦに表示される証券イメージデータの表示状態が不的確な場合には、ボタンＢ４が指示される。また、証券イメージデータの裏面を参照したい場合には、ボタンＢ５が指示される。なお、スキャナ部２００では、オリジナルの証券の両面をスキャン可能に構成されている。
【００５０】
図７は、図６に示すエントリ画面において、ボタンＢ１が指示された場合に、ディスプレイ５０７に表示される画像再送依頼画面Ｗ２に対応する。
【００５１】
図７において、Ｉ１は画像番号で、図４に示した画像データベース１４０Ｂに登録されている画像番号が入力される。Ｉ２はファイル名で、図４に示した画像データベース１４０Ｂに登録されている画像のファイル名が入力される。Ｉ３は濃度オプションで、コンボボックスを操作して濃度の濃淡を設定することができる。
【００５２】
Ｉ４はメッセージ入力で、ＭＦＰ４００の操作部２０１２に表示可能なメッセージを入力する。Ｉ５はバッチ番号、Ｉ６はしきい値光学濃度である。
【００５３】
Ｂ１１はボタンで、図４に示した画像データベース１４０Ｂに登録されている画像の表示を要求する場合に指示される。Ｂ１２はボタンで、ファイル名Ｉ２等を入力された証券画像データに対する再送要求をＭＦＰ４００に送信する場合に指示される。なお、送信先、例えばＩＰアドレス等はあらかじめ登録されている。Ｂ１３はボタンで、画像送信依頼画面Ｗ２を消去する場合に指示される。
【００５４】
図８は、本発明に係るデータ処理システムにおける第１の画像処理手順の一例を示すフローチャートであり、図４に示したＭＦＰ４００、コンピュータ装置１２０、１３０、画像管理サーバ１４０のそれぞれのデータ処理手順に対応する。なお、Ｓ４０１〜Ｓ４１１は、ＭＦＰ４００のＣＰＵ２００１がハードディスク２００４に記憶される制御プログラムをＲＡＭ２００２にロードして実行されるステップに対応し、Ｓ４２１〜Ｓ４２９は、図４に示した画像管理サーバ１４０のＣＰＵ５０１がハードディスク５０５に記憶される制御プログラムをＲＡＭ２００２にロードして実行されるステップに対応し、Ｓ４４１〜Ｓ４５３は、図４に示したコンピュータ装置１２０、１３０のＣＰＵ５０１がハードディスク５０５に記憶される制御プログラムをＲＡＭ２００２にロードして実行されるステップに対応する。
【００５５】
なお、後述する３つのしきい値を操作部２０１２あるいは、コンピュータ装置１２０、１３０のエントリ画面Ｗ１等で設定された値に基づいて予め設定しハードディスク２００４等に記憶しておく。なお、記憶先は、ハードディスク２００４に限らず、バックアップされるＮＮＶＲＡＭやフラッシュＲＯＭ等の書き換え可能なメモリデバイスであれば何でもよい。
【００５６】
先ず、ＭＦＰ４００において、プラテンに載置される証券証書を白黒多値画像でスキャンする（Ｓ４０１）。なお、ＭＦＰ４００はネットワーク接続機能付のスキャナをパソコンに接続し、パソコンをネットワークに接続したものでも良い。すなわち、Ｓ４０１をスキャナで処理し、スキャンした画像をパソコンのＲＡＭに転送して、後述するＳ４０２乃至Ｓ４１１をパソコンで実行させても良い。
【００５７】
次に、スキャナ画像処理部２０８０で、１回のスキャンにつき予め設定した３つのしきい値で二値化して（Ｓ４０２）、設定されている３つのしきい値中の丁度真ん中のしきい値で二値化した画像データを一旦記憶した後（Ｓ４０３）、ネットワーク１５０を介して画像管理サーバ１４０に送信する（Ｓ４０４）。
【００５８】
例えば光学濃度で「０．３０」、「０．４」、「０．５」をしきい値とする３回の二値化処理を繰り返し行ない、光学濃度＝０．４を閾値とする二値化画像を送信する。
【００５９】
なお、ノンカーボン用紙の文字を読みやすくするために、例えばノンカーボンの青い文字の光学濃度が０．３５であった場合、筆圧による光学濃度にある程度のばらつきを考慮して閾値を「０．３２」、「０．３８」、「０．４」としても良い。
【００６０】
次いで、ＣＰＵ２００１は、図４に示した管理データベース１０１を更新した後（Ｓ４０５）、処理は、画像管理サーバ１４０へ進む。
【００６１】
そして、画像管理サーバ１４０では、ＭＦＰ４００から送信された最初の二値画像データをＮＩＣ５０８を介して受信したら（Ｓ４２１）、該受信した二値画像データＤ２をハードディスク５０５に記憶して、管理データを更新する（Ｓ４２３）そして、二値画像データを、例えばコンピュータ装置１３０へ送信する（Ｓ４２４）。以後処理は、コンピュータ装置１３０へ進む。
【００６２】
そして、コンピュータ装置１３０がＮＩＣ５０８を介して二値画像データを受信し（Ｓ４４４）、該受信した二値画像データＤ２を、図６に示すように、エントリ画面Ｗ１内に表示する（Ｓ４４５）。
【００６３】
ここで、表示された証券イメージデータが判別しにくいような視認性の低い画像であると操作者が判断した場合は、ボタンＢ１を指示すると、ステップＳ４４６で、ボタンＢ１の指示が検出された場合は、図７に示す濃度オプションＩ３の設定値（もっと薄く等（第１のしきい値）に対応する）を含む画像データ再送要求を画像管理サーバに送信する（Ｓ４４７）。なお、画像再要求時には、画像ファイル名と記号、濃度オプション（より濃い画像（二値画像データＤ１）又は薄い画像（二値画像データＤ３）の要求）を指定する。
【００６４】
一方、ステップＳ４４６で、再送ボタン以外のボタンが指示されたと判断した場合は、全画像の登録処理が完了しているかどうかを判断して（Ｓ４５３）、完了していると判断した場合は、処理を終了し、完了していないと判断した場合は、ステップＳ４４１へ戻る。
【００６５】
そして、ステップＳ４４１では、図６に示すエントリ画面Ｗ１を表示して、ボタンＢ２それともボタンＢ３のいずれかが指示されているか否かをコンピュータ装置１３０のＣＰＵ５０１が判断して（Ｓ４４２）、それ以外のボタンであると判断した場合は、ステップＳ４４６へ進み、ボタンＢ２それともボタンＢ３のいずれかが指示されていると判断した場合は、ボタン指示の内容に応じた画像登録要求あるいは次画像送信要求を画像管理サーバ１４０へ送信する（Ｓ４４３）。以後処理は、画像管理サーバ１４０へ進む。
【００６６】
そして、画像管理サーバ１４０のＣＰＵ５０１は、コンピュータ装置１３０から受信した画像登録要求あるいは次画像送信要求をＭＦＰ４００に送信する（Ｓ４２５）。以後処理は、ＭＦＰ４００へ進む。なお、画像要求時には、画像ファイル名と記号、濃度オプション（より濃い画像又は薄い画像の要求）を指定する。
【００６７】
そして、ＭＦＰ４００は、画像管理サーバ１４０から送信される画像登録要求あるいは次画像送信要求を受信し（Ｓ４０６）、該次画像送信要求に基づいて、管理データベース１０１を参照して二値画像データ１０２から検索し（Ｓ４０７）、検索された二値画像データＤ１、または二値画像データＤ３を画像管理サーバ１４０へ送信する（Ｓ４０８）。以後処理は、画像管理サーバ１４０へ進む。
【００６８】
そして、画像管理サーバ１４０がＭＦＰ４００から送信された二値画像データＤ１、または二値画像データＤ３を受信し（Ｓ４２６）、該受信した二値値画像データＤ１、または二値画像データＤ３を画像管理サーバ１４０の画像データベース１４０Ｂに記憶させる（Ｓ４２７）。そして、該記憶された二値値画像データＤ１、または二値画像データＤ３をコンピュータ装置１３０に送信する（Ｓ４２８）。以後処理は、コンピュータ装置１３０へ進む。
【００６９】
そして、コンピュータ装置１３０は、ＭＦＰ４００から再送信される二値値画像データＤ１、または二値画像データＤ３が受信されるを待機しており（Ｓ４４８）、画像管理サーバ１４０から再送信される二値値画像データＤ１、または二値画像データＤ３を受信したら（Ｓ４４９），該受信した画像データを図６に示したエントリ画面Ｗ１上に表示する（Ｓ４５０）。そして、エントリ画面Ｗ１上でボタンＢ１が指示されているかどうかをコンピュータ装置１３０のＣＰＵ５０１が判断し、それ以外のボタンであると判断した場合は、ステップＳ４５３へ進む。
【００７０】
一方、ステップＳ４５１で、ボタンＢ１が指示されたと判断した場合、すなわち、再送要求がなされたと判断した場合は、図７に示す画像再送依頼画面をディスプレイ５０７上に表示して濃度オプションＩ３が指示し、該指示に基づいて再送要求を画像管理サーバ１４０に送信したら（Ｓ４５２）、ステップＳ４４８へ戻る。以後処理は、画像管理サーバ１４０へ進む。
【００７１】
そして、画像管理サーバ１４０は、コンピュータ装置１３０からの再送要求をＭＦＰ４００へ送信する。以後処理は、ＭＦＰ４００へ進む。
【００７２】
そして、画像管理サーバ１４０から送信される再送要求を受信すると（Ｓ４０９）、受信したファイル名等を参照して管理データベース１０１を検索して（Ｓ４１０）、詳細は後述するしきい値設定処理を実行して（Ｓ４１１）、ステップＳ４０８へ戻る。
【００７３】
なお、ステップＳ４０９は、最初の証券証書の画像データに対するあらかじめ設定されたしきい値に基づく二値画像データＤ１〜Ｄ３がすべて、コンピュータ装置１３０の操作者が不適切と判断した場合に対応するため、あらたなしきい値の再設定が必要となる。
【００７４】
図９は、本発明に係るデータ処理システムにおける第２の画像処理手順の一例を示すフローチャートであり、図４に示したＭＦＰ４００、コンピュータ装置１２０、１３０、画像管理サーバ１４０のそれぞれのデータ処理手順に対応する。なお、Ｓ５２０〜Ｓ５３５は、ＭＦＰ４００のＣＰＵ２００１がハードディスク２００４に記憶される制御プログラムをＲＡＭ２００２にロードして実行されるステップに対応する。
【００７５】
先ず、再送回数が１回目かどうかをＭＦＰ４００のＣＰＵ２００１が判断して（５２０）、１回目でないと判定した場合は、ステップＳ５３１へ進む。
【００７６】
一方、ステップＳ５２０で、１回目と判定された場合は、要求されている画像ファイルのスキャンデータである多値画像データ１０３を読み出し、スキャナ画像処理部２０８０が濃度ヒストグラムを図５に示すように集計して（Ｓ５２１）、ＲＡＭ２００２上に保持する。その後、画像処理部２０８０は、ピーク値Ｐ１、Ｐ２を検出（判定）するとともに（Ｓ５２２）、小ピーク値ＳＰ１、ＳＰ２、ＳＰ３を検出（判定）する（Ｓ５２３）。なお、高いほうから１番目の濃度のピーク（ピーク値Ｐ１）と２番目の濃度のピーク（ピーク値Ｐ２）を記憶する。また、高い濃度のピーク値を地紋の色と仮定する。
【００７７】
次に、ピーク値Ｐ１、Ｐ２とを比較して（Ｓ５２４）、小ピーク値ＳＰ１、ＳＰ２、ＳＰ３を決定する（Ｓ５２５）。
【００７８】
これにより、ピーク値Ｐ１＞ピーク値Ｐ２の場合（図６参照）、ピーク値Ｐ１より濃度が大きく、かつピーク値Ｐ１に最も近い濃度の小ピークを小ピークＳＰ１とし、ピーク値Ｐ２より濃度が小さく、かつピーク値Ｐ２に最も近い濃度の小ピークを小ピークＳＰ３と、ピーク値Ｐ１より濃度が小さく、かつピーク値Ｐ２より濃度が大きく、かつピーク値Ｐ１に最も近い濃度の小ピークを小ピークＳＰ２とする。
【００７９】
次いで、しきい値ＴＨ１＝ピークＰ１と小ピークＳＰ１の谷間（最小値）、しきい値ＴＨ２＝ピークＰ１と小ピークＳＰ２の谷間（最小値）、しきい値ＴＨ３＝ピークＰ２と小ピークＳＰ３の谷間（最小値）とし、しきい値ＴＨ２で画像データを二値化する（Ｓ５２６）。
【００８０】
次いで、初期のしきい値ＦＴＨ１〜ＦＴＨ３（最初のスキャン時に設定されたしきい値としてハードディスク２００４に記憶される）としきい値ＴＨ１〜ＴＨ３とを比較して（Ｓ５２７）、それぞれの再が所定誤差以下かどうかを判定して（Ｓ５２８）、所定誤差以下であると判定した場合は、小ピークを再決定し（Ｓ５２９）、しきい値ＴＨ１〜ＴＨ３を再決定する（Ｓ５３０）。
【００８１】
そして、再送回数が３回目かどうかを判断して（Ｓ５３１）、４回目であると判定した場合は、再送要求されている画像ファイルに対応するオリジナルスキャンデータである多値画像データ１０３を再送画像に決定し（Ｓ５３２）、本処理を終了する。以後、ステップＳ４０８へ戻り、画像管理サーバ１４０を介してコンピュータ装置１３０のディスプレイ５０７上のエントリ画面Ｗ１に表示する。
【００８２】
一方、ステップＳ５３１で、再送回数が４回目でないと判定した場合は、ステップＳ５３３へ進み、再送回数が１日目かどうかを判断して、１回目であると判定した場合は、ステップＳ５３０で決定されたしきい値ＴＨ２でスキャナ画像処理部２０８０が多値画像データを２値化した２値化データを生成して（Ｓ５３４）、処理を終了する。以後、ステップＳ４０８へ戻り、画像管理サーバ１４０を介してコンピュータ装置１３０のディスプレイ５０７上のエントリ画面Ｗ１に送信された２値化データを表示する。
【００８３】
一方、ステップＳ５３３で、２回目あるいは３回目であると判定された場合は、ステップＳ５３０で決定されたしきい値ＴＨ１、またはしきい値ＴＨ３でスキャナ画像処理部２０８０が多値画像データを２値化した２値化データを生成して（Ｓ５３５）、処理を終了する。以後、ステップＳ４０８へ戻り、画像管理サーバ１４０を介してコンピュータ装置１３０のディスプレイ５０７上のエントリ画面Ｗ１に送信された２値化データを表示する。
【００８４】
これにより、最初に送られた二値化画像データが不適切な場合でも、コンピュータ装置１３０の操作者が簡単に異なる閾値の二値化画像の再送が行える。
【００８５】
さらに、再二値化が必要な場合も迅速に行うことができるので、従来ように電話連絡等が不要になり短いタイムラグでさらたに設定されたしきい値に基づいて２値化された二値画像データを受信できる。
【００８６】
また、再二値化した場合もピーク値の検出・大小比較・最小値の検出で済み、閾値の設定が短時間で行えるので全体の処理時間を短縮できる。さらに、人間の介在が必要な再スキャンも不要となり、迅速な画像データ登録処理を効率よく実行できる。
【００８７】
〔第２実施形態〕
以下、図１０に示すメモリマップを参照して本発明に係るＭＦＰ、画像管理サーバ、コンピュータ装置を含むデータ処理システムで読み取り可能なデータ処理プログラムの構成について説明する。
【００８８】
図１０は、本発明に係る本発明に係るＭＦＰ、画像管理サーバ、コンピュータ装置を含むデータ処理システムで読み取り可能な各種データ処理プログラムを格納する記憶媒体のメモリマップを説明する図である。
【００８９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００９０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００９１】
本実施形態における図８，図９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００９２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００９３】
この場合、記憶媒体から読み出されたプログラムコード自体が本発明の新規な機能を実現することになり、そのプログラムコードを記憶した記憶媒体は本発明を構成することになる。
【００９４】
従って、プログラムの機能を有していれば、オブジェクトコード、インタプリタにより実行されるプログラム、ＯＳに供給するスクリプトデータ等、プログラムの形態を問わない。
【００９５】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００９６】
この場合、記憶媒体から読出されたプログラムコード自体が前述した実施形態の機能を実現することになり、そのプログラムコードを記憶した記憶媒体は本発明を構成することになる。
【００９７】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００９８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１００】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０１】
本発明は上記実施形態に限定されるものではなく、本発明の趣旨に基づき種々の変形（各実施形態の有機的な組合せを含む）が可能であり、それらを本発明の範囲から排除するものではない。
【０１０２】
本発明の様々な例と実施形態を示して説明したが、当業者であれば、本発明の趣旨と範囲は、本明細書内の特定の説明に限定されるのではなく、以下の実施態様も含まれることはいうまでもない。以下、その実施態様１〜１１について説明する。
【０１０３】
〔実施態様１〕
コンピュータ装置と画像処理装置とサーバ装置とが通信して、画像処理装置で読み取られる所定の原稿の２値化データをサーバ装置に備えるデータベースに登録して管理するデータ処理システムであって、画像処理装置は、所定の原稿から読み取られる多値画像データ、該多値画像データを設定される複数のしきい値に基づいて２値化処理される複数の２値化データ、前記多値画像データおよび複数の２値化データの管理データを記憶する第１の記憶手段（図４に示す二値画像データ１０２を記憶する図３に示すハードディスク２００４）と、前記第１の記憶手段に記憶されている２値化データを前記サーバ装置に転送する転送手段（図３に示すネットワーク２０１１）とを備え、前記サーバ装置は、前記画像処理装置から取得される２値化データおよび該２値化データの管理データを記憶する第２の記憶手段（図４に示す画像データベース１４０Ｂ、管理データベース１４０Ａ）と、前記コンピュータ装置からの画像登録指示に基づいて、前記画像処理装置から取得している２値化データの登録を確定する確定手段（図４に示す画像管理サーバ１４０のＣＰＵ）とを備え、コンピュータ装置（図４に示すコンピュータ装置１３０）は、前記第２の記憶手段に記憶される２値化データを取得して表示する表示手段（図２に示すディスプレイ５０７）と、前記表示手段に表示される２値化データの変更を要求する第１の指示手段（図６に示すボタンＢ１）と、前記第１の指示手段に基づいて前記サーバ装置が前記画像処理装置の前記第１の記憶手段に記憶されるしきい値の異なる２値化データを取得して、前記表示手段に表示すべき２値化データを更新する表示制御手段（図２に示すＣＰＵ５０１がハードディスク５０５から読み出す制御プログラムを実行して表示制御する）と、前記表示手段に表示される２値化データの前記第２の記憶手段への登録指示を行う第２の指示手段（図６に示すボタンＢ２）とを備えることを特徴するデータ処理システム。
【０１０４】
〔実施態様２〕
前記画像処理手段は、前記サーバ装置から２値化データの再送要求回数が所定回数を超える場合、前記多値画像データを解析して新たな複数のしきい値を設定する設定手段（図３に示すスキャナ画像処理部２０８０がハードディスク２００４等に記憶される多値画像データのヒストグラムを作成して決定されるしきい値を設定する）と、前記設定手段により設定される複数のしきい値で２値化される再送２値化データを前記第１の記憶手段に更新登録する登録手段（図３に示すスキャナ画像処理部２０８０がハードディスク２００４等に登録する）とを有することを特徴とする実施態様１記載のデータ処理システム。
【０１０５】
〔実施態様３〕
前記転送手段は、前記再送２値化データの転送が終了した後、前記サーバ装置から要求される２値化データの再送要求を受信した場合、前記多値画像データを前記サーバ装置に転送することを特徴とする実施態様１記載のデータ処理システム。
【０１０６】
〔実施態様４〕
前記第１の指示手段は、前記表示手段に表示される２値化データの変更を画像ファイル名及びしきい値変更情報とともに要求することを特徴とする実施態様１記載のデータ処理システム。
【０１０７】
〔実施態様５〕
コンピュータ装置と画像処理装置とサーバ装置とが通信して、画像処理装置で読み取られる所定の原稿の２値化データをサーバ装置に備えるデータベースに登録して管理するデータ処理システムにおける画像データ処理方法であって、画像処理装置において、所定の原稿から読み取られる多値画像データ、該多値画像データを設定される複数のしきい値に基づいて２値化処理される複数の２値化データ、前記多値画像データおよび複数の２値化データの管理データを記憶する第１の記憶手段と、前記第１の記憶手段に記憶されている２値化データを前記サーバ装置に転送する転送ステップ（図８に示すステップＳ４０４）とを備え、前記サーバ装置において、前記画像処理装置から取得される２値化データおよび該２値化データの管理データを記憶する第２の記憶手段と、前記コンピュータ装置からの画像登録指示に基づいて、前記画像処理装置から取得している２値化データの登録を確定する確定ステップ（図８に示すステップＳ４２３）とを備え、コンピュータ装置は、前記第２の記憶手段に記憶される２値化データを取得して表示手段に表示する表示ステップ（図８に示すステップＳ４４５）と、前記表示手段に表示される２値化データの変更を要求する第１の指示ステップ（図８に示すステップＳ４４６）と、前記第１の指示ステップに基づいて前記サーバ装置が前記画像処理装置の前記第１の記憶手段に記憶されるしきい値の異なる２値化データを取得して、前記表示手段に表示すべき２値化データを更新する表示制御ステップ（図８に示すステップＳ４５０）と、前記表示手段に表示される２値化データの前記第２の記憶手段への登録指示を行う第２の指示ステップ（図８に示すステップＳ４５１）とを備えることを特徴する画像データ処理方法。
【０１０８】
〔実施態様６〕
前記画像処理手段は、前記サーバ装置から２値化データの再送要求回数が所定回数を超える場合、前記多値画像データを解析して新たな複数のしきい値を設定する設定ステップ（図９に示すステップＳ５２０〜Ｓ５２６）と、前記設定ステップにより設定される複数のしきい値で２値化される再送２値化データを前記第１の記憶手段に更新登録する登録ステップ（図９に示すステップＳ５３４、Ｓ５３５）とを有することを特徴とする実施態様５記載の画像データ処理方法。
【０１０９】
〔実施態様７〕
前記転送ステップは、前記再送２値化データの転送が終了した後、前記サーバ装置から要求される２値化データの再送要求を受信した場合、前記多値画像データを前記サーバ装置に転送する（図９に示すステップＳ５３２、図８に示すステップＳ４０８）ことを特徴とする実施態様５記載の画像データ処理方法。
【０１１０】
〔実施態様８〕
前記第１の指示ステップは、前記表示手段に表示される２値化データの変更を画像ファイル名及びしきい値変更情報とともに要求することを特徴とする実施態様５記載の画像データ処理方法。
【０１１１】
〔実施態様９〕
実施態様５〜９のいずれかに記載の画像データ処理方法を実行させるためのプログラムを格納したことを特徴とするコンピュータが読み取り可能な記憶媒体。
【０１１２】
〔実施態様１０〕
実施態様５〜９のいずれかに記載の画像データ処理方法をコンピュータに実行させることを特徴とするプログラム。
【０１１３】
上記各実施形態および実施態様によれば、画像処理装置で原稿から読み取られた後、２値化された２値化データの視認性が良好でない場合には、簡単な操作で、何等原稿画像を再度読み取る操作を実行することなく、画像処理装置からしきい値の異なる２値化データを取得して短時間に画像の差異を判別して最小の２値化データをサーバ装置に登録できるとともに、画像の視認性が良好でない場合は、オリジナルの多値画像データをサーバ装置に登録することができ、システム全体として、従来に比べて、二値画像データの登録処理効率を格段に向上できる。
【０１１４】
〔実施態様１１〕
実施態様１におけるＭＦＰ４００の代りにスキャナをパソコンに接続し、パソコンをネットワークに接続したものでも良い。すなわち、Ｓ４０１をスキャナで実行して画像を読込み、スキャナでスキャンした画像をパソコンに転送してパソコンのＲＡＭに記憶し、図８のＳ４０２乃至Ｓ４１１、及び図９のＳ５２０乃至Ｓ５３５をパソコンで実行させても同様の効果を奏することができる。
【図面の簡単な説明】
【０１１５】
【図１】本発明に係るデータ処理システムにおける画像処理装置の構成を説明する断面図である。
【図２】ホストコンピュータの構成を説明するブロック図である。
【図３】図１に示した複合機能デバイスのハードウエアの全体構成を説明するブロック図である。
【図４】本発明の第１実施形態を示すデータ処理システムの一例を示すブロック図である。
【図５】図３に示したコントローラユニットのスキャナ画像処理部における２値化処理例を説明する特性図である。
【図６】図４に示したコンピュータ装置に表示される証券画像エントリ画面の一例を示す図である。
【図７】図４に示したコンピュータ装置に表示される証券画像エントリ画面の一例を示す図である。
【図８】本発明に係るデータ処理システムにおける第１の画像処理手順の一例を示すフローチャートである。
【図９】本発明に係るデータ処理システムにおける第２の画像処理手順の一例を示すフローチャートである。
【図１０】本発明に係るＭＦＰ、画像管理サーバ、コンピュータ装置を含むデータ処理システムで読み取り可能な各種データ処理プログラムを格納する記憶媒体のメモリマップを説明する図である。
【符号の説明】
【０１１６】
１０２  ２値画像データ
１０３  多値画像データ
１３０  コンピュータ装置
１４０  画像管理サーバ
１４０Ａ  管理データベース
１４０Ｂ  画像データベース
【図１】
2006186878.tif 000003
【図２】
2006186878.tif 000004
【図３】
2006186878.tif 000005
【図４】
2006186878.tif 000006
【図５】
2006186878.tif 000007
【図６】
2006186878.tif 000008
【図７】
2006186878.tif 000009
【図８】
2006186878.tif 000010
【図９】
2006186878.tif 000011
【図１０】
2006186878.tif 000012